(57)【要約】この発明は別体のトリガーコイルまたはトリガー変圧器の使用を必要としないのである。この回路は小さな電圧を高振動電圧に変換して、フラッシュ（１８０）およびトリガーコンデンサー（１５０）を充電し、かつフラッシュ管（１８２）中のガスをイオン化するトリガー電圧を提供する。追加の巻線を具えた変圧器（１２０）が使用されて、トリガー変圧器として機能し、かつコンデンサーを充電する振動電圧を提供する。スイッチ（１０７）が閉じると、トリガーコンデンサー（１５０）が一次コイル（１２２）とフィードバック巻線（１２７）とに並列に接続され、該巻線はトランジスター（１４０）のコレクター（１４２）とベース（１４４）に直列に接続されている。この結果変圧器の二次側に高電圧が生成され、これが整流ダイオード（１５２）によりトリガー接点（１８４）に印加されて、プラス電圧がフラッシュコンデンサーからアースに短絡するのが防止される。
2005523570.tif 000002
【特許請求の範囲】
【請求項１】
フラッシュコンデンサーとフラッシュ管を具えたフラッシュ装置用のトリガーコンデンサーを有した変換回路であって、スイッチ手段と変圧器とスイッチとトリガー接点とを有してなり、変圧器はスイッチ手段に接続されてＤＣ電源からの電圧を高振動電圧に変換してトリガーコンデンサーとフラッシュコンデンサーとを充電し、変圧器は一次コイルと二次コイルとを有しており、該二次コイルは主巻線とフィードバック巻線とを有しており、スイッチはトリガーコンデンサーに接続されかつ一次コイルを二次コイルに接続してトリガーコンデンサーの放電に際して二次コイルに電圧ピークを励起させ、これによりフラッシュ管内のガスをイオン化するトリガー電圧を与え、トリガー接点は二次コイルに接続されてトリガー電圧を放出することを特徴とする変換回路。
【請求項２】
スイッチが一次コイルを二次コイルのフィードバック巻線に接続していることを特徴とする請求項１に記載の変換回路。
【請求項３】
トリガーコンデンサーが一次コイルおよびフィードバック巻線と並列であることを特徴とする請求項２に記載の変換回路。
【請求項４】
スイッチ手段がトランジスターを有していることを特徴とする請求項１に記載の変換回路。
【請求項５】
フラッシュコンデンサーとフラッシュ管を具えたフラッシュ装置用のトリガーコンデンサーを有した変換回路であって、変圧器とトランジスターとスイッチとトリガー接点とを有しており、変圧器は一次コイルと二次コイルとを有しており、
二次コイルが主巻線とフィードバック巻線とを有しており、トランジスターのコレクターは一次コイルに接続され、トランジスターのベースは二次コイルに接続されてＤＣ電源の電圧を高振動電圧に変換してトリガーコンデンサーとフラッシュコンデンサーとを充電し、スイッチはトリガーコンデンサーに接続されておりかつ一次コイルを二次コイルに接続してトリガーコンデンサーの放電に際して二次コイルに電圧ピークを励起してフラッシュ管中のガスをイオン化するトリガー電圧を与え、トリガー接点は二次コイルに接続されてトリガー電圧を放出することを特徴とする変換回路。
【請求項６】
スイッチが一次コイルを二次コイルのフィードバック巻線と直列に接続していることを特徴とする請求項５に記載の変換回路。
【請求項７】
トリガーコンデンサーが一次コイルおよび二次コイルのフィードバック巻線と並列になっていることを特徴とする請求項６に記載の変換回路。
【請求項８】
さらに整流器ダイオードが二次コイルとフラッシュコンデンサーとの間に接続されており、充電抵抗器がトリガーダイオードとフラッシュコンデンサーとの間に接続されていることを特徴とする請求項５に記載の変換回路。
【請求項９】
フラッシュコンデンサーがＤＣ電源に直接接続されていることを特徴とする請求項５に記載の変換回路。
【請求項１０】
さらにＬＥＤが第１の抵抗器と並列に接続されており、ＬＥＤと第１の抵抗器とがトランジスターのベースと二次コイルとの間に接続されていることを特徴とする請求項５に記載の変換回路。
【請求項１１】
さらに第２の抵抗器がＬＥＤおよび第１の抵抗器に直列に接続されていることを特徴とする請求項１０に記載の変換回路。
【請求項１２】
さらにＬＥＤ、第１の抵抗器およびコンデンサーが二次コイルとアースとの間に直列に接続されていることを特徴とする請求項１１に記載の変換回路。
【請求項１３】
さらに第２の抵抗器がトランジスターのベースと一次コイルとの間に接続されていることを特徴とする請求項１２に記載の変換回路。
【請求項１４】
トリガーコンデンサーとフラッシュコンデンサーとフラッシュ管を具有したフラッシュ装置用の変換回路であって、スイッチ手段と変圧器とスイッチとを有しており、スイッチ手段は第１のトランジスターと第２のトランジスターとを有しており、変圧器はスイッチ手段に接続されてＤＣ電源からの電圧を高振動電圧に変換してトリガーコンデンサーとフラッシュコンデンサーとを充電し、変圧器は一次コイルと二次コイルとを有しており、一次コイルが第１の巻線と第２の巻線とを有しており、スイッチがトリガーコンデンサーに接続されてかつ第１の巻線を第２の巻線に接続して、トリガーコンデンサーの放電に際して二次コイルに電圧ピークを励起し、これによりフラッシュ管内のガスをイオン化するトリガー電圧を与え、トリガー接点が二次コイルに接続されてトリガー電圧を放出することを特徴とする変換回路。
【請求項１５】
第１のトランジスターのコレクターとベースとが一次コイルに接続されていることを特徴とする請求項１４に記載の変換回路。
【請求項１６】
第２のトランジスターのコレクターが一次コイルに接続され、同じくベースが一次コイルとトリガーコンデンサーとに接続されていることを特徴とする請求項５に記載の変換回路。
【請求項１７】
フラッシュコンデンサーとフラッシュ管とを具えたフラッシュ装置用のトリガーコンデンサーを有した変換回路であって、スイッチ手段と変圧器とスイッチとトリガー接点とを有してなり、スイッチ手段はトランジスターを有しており、変圧器はスイッチ手段に接続されてＤＣ電源からの電圧を高振動電圧に変換してトリガーコンデンサーとフラッシュコンデンサーとを充電し、変圧器は一次コイルと二次コイルとを有しており、一次コイルは主巻線とフィードバック巻線とを有しており、スイッチはトリガーコンデンサーに接続されかつ主巻線をフィードバック巻線に接続してトリガーコンデンサーの放電に際して二次コイルに電圧ピークを励起し、これによりフラッシュ管内のガスをイオン化するトリガー電圧を与え、トリガー接点は二次コイルに接続されてトリガー電圧を放出することを特徴とする変換回路。
【請求項１８】
トランジスターのコレクターが一次コイルに接続され、同じくベースが二次コイルに接続されていることを特徴とする請求項５に記載の変換回路。
【発明の詳細な説明】
【技術分野】
【０００１】
この発明は一般にカメラに用いられる電子フラッシュ装置に関するものであり、特にそのような電子フラッシュ装置向きの回路に関するものである。
【背景技術】
【０００２】
フラッシュ装置はカメラに用いられて、光が不充分な状態下で撮影する際における光の輝いた「フラッシュ」を生成するものである。撮影に理想的な環境を生成するために充分な光の強いパルスを発生するには、そのような強い光を発生できる特殊なフラッシュ管が用いられる。該フラッシュ管はガラス閉鎖容器中にガスを含んでおり、フラッシュする前にガスをイオン化しなければならない。ガスをイオン化するにはまず充分なレベルの電圧をガラス容器の表面に放出してやらなければならない。一端ガスが適正にイオン化されると、コンデンサー放電がフラッシュ管を通して誘導されて、輝く「フラッシュ」を放出する。
【０００３】
フラッシュ管内のガスのイオン化に必要とされるトリガー電圧は一般に約４ＫＶである。フラッシュ管を通しての放電を駆動するのに必要なこの電圧は一般に約３００〜４００ボルトである。これら両方の電圧レベルは一般の携帯ＤＣ電源、例えばバッテリーが励起できるものよりも遥かに高いものである。したがって、適宜な回路を用意してバッテリー電圧をフラッシュ装置を作動するのに必要なレベルに変換する必要がある。
【０００４】
フラッシュ装置は一般に４個の主たる部品を必要とし、それらはフラッシュユニット、変換回路、駆動回路およびトリガー回路である。
【０００５】
一般にフラッシュユニットはフラッシュ管とフラッシュコンデンサーとを有している。変換回路は比較的小さなＤＣ電圧、例えば１．５〜６ボルトを約３００〜４００ボルトのより高い振動電圧（変換器電圧と呼ばれる）に変換して、フラッシュユニット中のフラッシュコンデンサーを充電する。
【０００６】
トリガー回路は変換回路からの変換器電圧をより高い電圧、例えば４ＫＶに変圧する。駆動回路はトリガー回路を始動して、フラッシュ管中のガスのイオン化に必要なトリガー電圧を提供する。これら部品の一般的な機能は当業者周知のものである。
【０００７】
回路設計の改良の結果挙動に秀れ低コストの電子フラッシュ回路が開発された。そのような多くの改良の結果、部品点数が少なくよりコンパクトな設計の回路が出てきている。電子フラッシュ回路の大きな部品は変換回路とトリガー回路とにある。これらの部品としては変換変圧器とトリガーコイルまたはトリガー変圧器とがある。
【０００８】
フラッシュ装置用のトリガー回路の構造としては多くのものがある。しかしトリガー回路の一般的な機能は同じであり、変換器電圧をフラッシュ管中のガスのイオン化に必要なより高いトリガー電圧に変圧するものである。しかし一般的な電子フラッシュ装置は回路中に少なくとも２個の変圧器を必要とする。変換回路中に少なくとも１個の変圧器およびトリガー回路中に少なくとも１個の他の変圧器が必要である。これらの変圧器はフラッシュ装置のスペース的制約を増加するのみならず、コストにも響いてくる。
【発明の開示】
【０００９】
フラッシュコンデンサーとフラッシュ管を具えたフラッシュ装置に用いるトリガーコンデンサーを有した変換回路であって、スイッチ手段と変圧器とスイッチとトリガー接点とを有しており、変圧器はスイッチ手段に接続されてＤＣ電源電圧を高振動電圧に変換してトリガーコンデンサーとフラッシュコンデンサーとを充電する。また変圧器は一次コイルと二次コイルとを有しており、二次コイルは主巻線とフィードバック巻線とを有している。スイッチはトリガーコンデンサーに接続されていて、一次コイルを二次コイルに接続しトリガーコンデンサーの放電に際して二次コイルに電圧ピークを励起する。これによりフラッシュ管中のガスのイオン化のためのトリガー電圧を与える。トリガー接点は二次コイルに接続されてトリガー電圧を放出する。
【発明を実施するための最良の形態】
【００１０】
図１に示すこの発明の変換回路は特に電子フラッシュ装置１０１に用いるのに適している。該変換回路１０５は別個のトリガーコイルまたはトリガー変圧器を必要としない点で従来のフラッシュ回路とは異なっている。この変換回路１０５は比較的小さな電圧をフラッシュおよびトリガーコンデンサーを充電するための高振動電圧に変換する機能を果たすものであり、さらにフラッシュ管１８２中のガスをイオン化するトリガー電圧を提供するものである。
【００１１】
一般に電子フラッシュ装置１０１は変換回路１０５とフラッシュユニット１０９とに分割される。
【００１２】
フラッシュユニット１０９はフラッシュ管１８２とフラッシュコンデンサー１８０とトリガー接点１８４とを有している。変換回路１０５は変圧器１２０とスイッチ手段１３９とから構成され、約１．５〜３ボルトの比較的小さなＤＣ電圧を約３００〜４００ボルトの高振動電圧（フラッシュコンデンサー１８０を充電するための変換電圧と呼ばれている）に変換する。
【００１３】
該変換電圧はついで約４０００ボルトのより高いトリガー電圧に変圧される。該トリガー電圧はフラッシュ管１８２中のガスをイオン化するのに使われる。フラッシュ管１８２が充分イオン化されると、「輝くフラッシュ」が起きて、フラッシュコンデンサー１８０がフラッシュ管１８２を介して蓄えられたエネルギーを放電する。上記した部品の一般的な機能は当業者周知のものである。
【００１４】
変換回路１０５についてさらに詳しく記載する。該回路１０５は一次コイル１２２と二次コイル１２４とを具えた変圧器１２０を有しており、スイッチ手段１３９はトランジスター１４０から構成されている。二次コイル１２４はそこに接続されたフィードバック導線１３２を有しており、これが二次コイル１２４を主巻線１２５とフィードバック巻線１２７とに分割している。
【００１５】
フィードバック導線１３２はトランジスター１４０のベース１４４にも接続されている。二次コイル１２４の第１の端部導線１３４は整流ダイオード１５２に接続され、同じく第２の端部導線１３０は第１の抵抗器１５６とトリガーコンデンサー１５０とに接続されている。トリガーコンデンサー１５０はまた充電抵抗器１５４にも接続されており、該抵抗器は整流ダイオード１５２に接続されている。
【００１６】
スイッチ１０７はトリガーコンデンサー１５０を一次コイル１２２の第２の端部導線１２８と第１の抵抗器１５６とに接続している。一次コイル１２２の第１の端部導線１２６はトランジスター１４０のコレクター１４２に接続されている。一次コイル１２２の第２の端部導線１２８はＤＣ電源１１０のプラス側に接続されている。トランジスター１４０のエミッター１４６はＤＣ電源１１０のマイナス側に接続されている。
【００１７】
電流はＤＣ電源１１０から第１の抵抗器１５６とフィードバック巻線１２７と二次コイル１２４のフィードバック導線１３２を経てトランジスター１４０のベース１４４に流れる。トランジスター１４０は開またはスイッチオンとなっており、電流はＤＣ電源１１０から一次コイル１２２、トランジスター１４０を経てアースに流れる。
【００１８】
これにより二次コイル１２４のフィードバック巻線１２７とフィードバック導線１３２にプラス電圧が誘導され、この電圧がトランジスター１４０を飽和させる。トランジスター１４０が飽和すると、一次コイル１２２とトランジスター１４０とのより多くの電流が流れて、変圧器１２０をも飽和させる。変圧器１２０が飽和に達すると、二次コイル１２４のフィードバック巻線１２７における電圧誘導が低減する。
【００１９】
誘導電圧が低下すると、トランジスター１４０は開きが少なくなり、その結果一次コイル１２２における磁場の極性が変化する。かくしてフィードバック巻線１２７と二次コイル１２４のフィードバック導線１３２にマイナス電圧が誘導され、トランジスター１４０のベース１４４がマイナス電圧となりトランジスター１４０がオフとなる。この結果、一次コイル１２２を通っての電流の流れが止まる。
【００２０】
変圧器１２０におけるエネルギーがゼロになり、ＤＣ電源１１０からの電流が再び第１の抵抗器１５６に流れて以上のプロセスが繰り返される。二次コイル１２４の主巻線１２５の電圧は極性と周波数において二次コイル１２４のフィードバック巻線１２７のそれらに相当する。主巻線における約３００〜４００ボルトの電圧は整流ダイオード１５２を介してフラッシュコンデンサー１８０を充電する。
【００２１】
二次コイル１２４に誘導された電圧はフラッシュコンデンサー１８０とトリガーコンデンサー１５０とを充電する。スイッチ１７０が閉じている場合には、トリガーコンデンサー１５０のマイナスの電圧は変圧器１２０の一次コイル１２２の第２の端部導線１２８に伝わる。そしてトリガーコンデンサー１５０のプラスの電圧は二次コイル１２４の第２の端部導線１３０に伝わる。一次コイル１２２と二次コイル１２４のフィードバック巻線１２７はトランジスター１４０のコレクター１４２とベース１４４とを介して直列となる。トリガーコンデンサー１５０は一次コイル１２２およびフィードバック巻線１２７と並列となる。
【００２２】
一次コイル１２２の第２の端部導線１２８におけるマイナスの電圧ピークは二次コイル１２４の第１の端部導線１３４に高いプラスの電圧を誘導する。変換回路１０５中のこの高いプラスの電圧はトリガー電圧であって、整流ダイオード１５２によりブロックされる。トリガー接点１８４を介してフラッシュ管１８２の表面へのトリガー電圧はフラッシュ管１８２中のガスをイオン化する。フラッシュ管１８２中のガスのイオン化が充分に行われると、フラッシュ管１８２を介してフラッシュコンデンサー１８０が蓄えられたエネルギーを放電して、「輝くフラッシュ」が起きる。
【００２３】
この発明の変換回路によれば追加のトリガーコイルまたはトリガー変圧器の使用が不必要となる。この発明においてフィードバック巻線１２７を具えた変圧器１２０は、コンデンサーを充電する振動電圧を与えるのに加えて、トリガー変圧器としても作動する。
【００２４】
フラッシュコンデンサー１８０とトリガーコンデンサー１５０がともに充電されると、スイッチ１７０が閉じることによりトリガーコンデンサー１５０が一次コイル１２２とフィードバック巻線１２７とに並列に接続され、スイッチ１７０が閉じられると一次コイル１２２とフィードバック巻線１２７とが直列に接続される。この結果変圧器の二次側に非常に高い電圧が生じて、これが整流ダイオード１５２によりトリガー接点１８４に向けられる。これによりフラッシュコンデンサー１８０からアースにプラスの電圧が短絡するのが防止される。これは図２〜６の回路にも直接当てはまる。
【００２５】
そのような変換回路のための従来の変圧器は通常約４０ＫＨｚで作動し、この周波数ではトリガー変圧器を直接置き換えるのに充分な透過率を有していないのである。トリガー変圧器は約１ＭＨｚで作動する従来のトリガー変圧器によってのみ達成される周波数レベルで作動することが要求される。従来の変圧器は約２００のターンレイショ（ｔｕｒｎ  ｒａｔｉｏ）を有することができ、２７０Ｖの電圧がトリガーコンデンサー１５０から印加されたときに二次コイル１２４に５０ｋＶを超える理論的な電圧を生じる筈である。しかし従来の変圧器は実際には同じ印加電圧（２７０Ｖ）で約１０００Ｖの電圧を与えるのみである。
【００２６】
この発明において二次コイル１２４の一次コイル１２２とフィードバック巻線１２７とを直列に接続することにより、フィードバック巻線が一次コイル１２２と直列だと、変圧器１２０のターンレイショは約９８に低減される。直列になっている一次コイル１２２とフィードバック巻線１２７の接続からくる巻線数の増加によりインダクタンスが対応して増加し、作動周波数も減少する。
【００２７】
理論的には、フィードバック巻線が一次コイル１２２と直列に接続されたターンレイショが約９８の変圧器１２０は２５ｋＶを超える電圧を与える。実際には、約４ｋＶの電圧が生じる。これは図２〜６の回路にも当てはまる。
【００２８】
図２は図１の回路の変形である。フラッシュユニット１０９は同じである。変換回路２０５におけるいくつかの部品は図１のそれら（変圧器１２０、トランジスター１４０およびトリガーコンデンサー１５０）と同じである。
【００２９】
この回路においては、トリガーコンデンサー１５０は一次コイル１２２の第１の端部導線１２６およびトランジスター１４０のコレクター１４２に直接接続されている。スイッチ１７０が閉じられると、トリガーコンデンサー１５０のマイナスの電圧は二次コイル１２４のフィードバック導線１３２に接続され、プラスの電圧は一次コイル１２２の第１の端部導線１２６に接続される。
【００３０】
一次コイル１２２と二次コイル１２４のフィードバック巻線１２７は図１の変換回路１０５とは逆に直列に接続される。該回路ではそれらはトランジスター１４０のコレクター・ベースを介している。トリガーコンデンサー１５０は一次コイル１２２および二次コイル１２４のフィードバック巻線１２７と並列になっている。図１の場合と同様に二次コイル１２４の第１の端部導線１３４に高いトリガー電圧が誘導されて、フラッシュ管１８２中のガスをイオン化する。
【００３１】
この変換回路２０５はさらにＬＥＤ（発光ダイオード）２６０の形でフラッシュ表示をする「ＲＥＡＤＹ」を有していて、フラッシュコンデンサー１８０が完全に充電されると、ＬＥＤ２６０が光る。ＬＥＤ２６０は第１の抵抗器２５８に並列に接続され、さらに第２の抵抗器２５６に直列に接続されている。該並列回路はさらにトランジスター１４０のベース１４４に接続され、第２の抵抗器２５６は二次コイル１２４のフィードバック導線１３２とスイッチ１７０に接続され、これが充電抵抗器１５４に接続される。
【００３２】
図３は図１、２に示した回路の変形である。変圧器１２０の一次コイル１２２の第２の導線１２８はトランジスター１４０のコレクター１４２に接続され、二次コイル１２４の第２の端部導線１３０はトランジスター１４０のベース１４４に接続されている。一次コイル１２２の第１の端部導線１２６はＤＣ電源１１０のプラス側とトリガーコンデンサー１５０とに接続されている。
【００３３】
二次コイル１２４のフィードバック導線１３２はスイッチ１７０に接続され、該スイッチはトリガーコンデンサー１５０に接続されている。フラッシュ表示の「ＲＥＡＤＹ」は二次コイル１２４のフィードバック導線１３２に接続されたＬＥＤ３６０により与えられる。コンデンサー３６４と直列の入力抵抗器３６２はＬＥＤ３６０をトランジスター１４０のエミッター１４６およびＤＣ電源１１０のマイナス側に接続している。
【００３４】
フラッシュコンデンサー１８０とトリガーコンデンサー１５０とが完全に充電された後でスイッチ１７０が閉じられると、変圧器１２０の一次コイル１２２の第１の導線１２６におけるマイナス電圧ピークが二次コイル１２５の第１の端部導線１３４にマイナスのトリガー電圧を誘導し、これがフラッシュ管１８２中のガスをイオン化する。
【００３５】
スイッチ１７０が閉じられると、トランジスター１４０のコレクター・ベース結合部を介して二次コイル１２４のフィードバック巻線１２７は一次コイル１２２と直列になる。これは図１の変換回路１０５と同じである。この変換回路３０５においては、整流ダイオード１５２とフラッシュコンデンサーはそれらの極性が図１、２の回路と逆になる。
【００３６】
図４は図３の回路の変形である。二次コイル１２４のフィードバック導線１３２は一次コイル１２２の第１の端部導線１２６とＤＣ電源１１０のプラス側に直接に接続されている。トリガーコンデンサー１５０は二次コイル１２４の第２の導線１３０に直接接続されている。トリガーコンデンサー１５０はスイッチ１７０を介して一次コイル１２２の第２の端部導線１２８に接続されている。
【００３７】
スイッチ１７０が閉じられると、一次コイル１２２の第２の導線１２８におけるトリガーコンデンサー１５０からのプラスのピーク電圧は二次コイル１２４の第１の端部導線１３４にマイナストリガー電圧を誘導する。ついでフラッシュ管１８２中のガスがトリガー接点１８４との接触を介してイオン化される。一次コイル１２２の二次コイル１２４のフィードバック巻線１２７との直列接続は直接であって、トランジスター１４０のコレクター・ベースを介しての直列接続に比べて損失がない。
【００３８】
「ＲＥＡＤＹ」表示は第１の抵抗器４５６およびトランジスター１４０のベース１４４に接続された入力抵抗器４６２に接続されたＬＥＤ４６０を介して行われる。緩衝コンデンサー４６４を用いてスイッチ１７０が閉じられたときのコレクター１４２における電圧ピークからトランジスター１４０を保護する必要があるだろう。
【００３９】
この回路はさらに空気ギャプを有した変圧器と整流ダイオード１５２の極性を切り換えることにより改変できる。コンデンサーがＬＥＤ４６０に取って代わり、第１の抵抗器４５６はダイオードにより取って代わられる。これにより変換回路４０５がフライバック回路４０５に変換される。フライバック回路は充電時間が早いという利点がある。これは図１〜３および５の回路においても同様に行える。
【００４０】
図５に示すのは図４の回路の変形である。図示の変換回路５０５は図４のものと同じである。異なるのは、フラッシュユニット１０９の部品が直接アースに接続されていない点である。この回路ではフラッシュ管１８２とフラッシュコンデンサー１８０とはトランジスターのベースに直接接続されている。
【００４１】
図６に図５の回路の変形を示す。この回路は図５の回路と同じである。両者の違いは、図１〜５におけるようにＮＰＮトランジスター１４０の代りにＰＮＰトランジスター６４０を使っている点である。したがっていくつかの回路部品は極性の変化を反映してその接続を変えている。二次コイル１２０の第１の端部導線１３４に接続された整流ダイオード１５２とフラッシュコンデンサー１８０はその極性が反転している。ＤＣ電源１１０のプラス側はトランジスター６４０のエミッター６４２に直接接続されている。他の回路においてもこれが同様に行える。
【００４２】
図７に示す回路はプッシュ・プル変換器を用いて、回路の充電サイクルを行っている。変換回路７０５について詳細に述べると、この変換回路７０５は一次コイル７２２と二次コイル７２４とを具えた変圧器７２０とスイッチ手段１３９とから構成されている。
【００４３】
この回路のスイッチ手段１３９は第１と第２のトランジスター７４０、７５０を有している。一次コイル７２２は一次コイル７２２の中間点にあって一次コイルを第１の巻線７２３と第２の巻線７２５との分割する中間導線７２８を有している。同様に二次コイル７２４は二次コイルを第１の半分７２７と第２の半分とに分割する中間導線７３４を有している。
【００４４】
一次コイル７２２の第１の端部導線７２６は第１のトランジスター７４０のコレクター７４２に接続されている。一次コイル７２２の第２の端部導線７３０は第２のトランジスター７５０のコレクター７５２に接続されている。トリガーコンデンサー１５０は第１のトランジスター７４０のコレクター７４２とスイッチ１７０とに接続されている。スイッチ１７０は第２のトランジスター７５０のコレクター７５２に接続されている。第１の抵抗器７６２は第１のトランジスター７４０のベース７４４と一次コイルの第２の端部導線との間に接続されている。
【００４５】
第２の抵抗器７６４は第２のトランジスター７５０のベース７５４と第１のトランジスター７４０のコレクター７４２の間に接続されている。整流ダイオード１５２は二次コイル７２４の第１の端部導線７３６とフラッシュコンデンサー１８０のプラス側および充電抵抗器１５４とに接続されている。
【００４６】
充電抵抗器１５４はトリガーコンデンサー１５０のプラス側に接続されている。他の整流ダイオード７６６は二次コイル７２４の第２の端部導線７３２とフラッシュコンデンサー１８０のプラス側に接続されている。第１、２のトランジスター７４０、７５０のエミッター７４６、７５６はともにアースに接続されている。二次コイル７２４の中間端部導線７３４はアースに接続されている。一次コイル７２２の中間端部導線７２８はＤＣ電源１１０のプラス側に接続されている。
【００４７】
プッシュ・プル変換器はＤＣ電源からの低電圧を高振動電圧に変換して、フラッシュコンデンサー１８０とトリガーコンデンサー１５０とを充電する。フラッシュコンデンサー１８０とトリガーコンデンサー１５０が完全に充電されると、スイッチ１７０が閉じられ、一次コイル７２２の第１の巻線７２３と第２の巻線７２５とを直列に接続する。
【００４８】
トリガーコンデンサー１５０は第１の巻線７２３と第２の巻線７２５と並列になる。一次コイル７２２の第１の端部導線７２６におけるマイナスのピーク電圧は二次コイル７２４の第１の端部導線７３６にマイナスの電圧を誘導する。該電圧は整流ダイオード１５２によりブロックされる。フラッシュ管１８２中のガスはトリガー接点１８４との接触によりイオン化される。
【００４９】
図８に示すこの発明の一実施例にあっては、変換回路８０５が一次コイル８２２と二次コイル８２４を具えた変圧器８２０を有している。一次導線８２８は一次コイル８２２を主巻線８２５とフィードバック巻線８２３とに分割している。一次導線８２８はＤＣ電源１１０に直接接続されている。一次コイル８２２のフィードバック導線８２６は第１の抵抗器８５６と並列に接続されたＬＥＤ８６０に接続されている。
【００５０】
第２の抵抗器８６２はＬＥＤ８６０の並列回路と第１の抵抗器８５６さらにはトランジスター１４０のコレクター１４２に接続されている。該コレクター１４２は一次コイル８２２の第２の端部導線８３０さらにはアースに接続された第１のコンデンサー８６６に接続されている。トランジスター１４０のエミッター１４６はアースに直接接続されている。
【００５１】
トランジスター１４０のベース１４４は第３の抵抗器８６４を介して変圧器８２０の一次導線８２８に接続されている。該ベース１４４は二次コイル８２４の第２の端部導線８３２およびアースに接続された第２のコンデンサー８６８に接続されている。第３の抵抗器８６４は一次コイル８２２の一次導線８２８およびトランジスター１４０のベース１４４に接続されている。
【００５２】
トリガーコンデンサー１５０はトランジスター１４０のコレクター１４２と充電抵抗器１５４の間に接続されている。スイッチ１７０は一次コイル８２２のフィードバック導線８２６とトリガーコンデンサー１５０のプラス側との間に接続されている。整流ダイオード１５２は二次コイル８２４の第１の端部導線８３６とトリガー接点１８４とに接続されている。整流ダイオード１５２と充電抵抗器１５４とはフラッシュユニット１０９に接続されている。
【００５３】
フラッシュコンデンサー１８０とトリガーコンデンサー１５０とが充電されると、スイッチ１７０が閉じられ、トリガーコンデンサー１５０からのマイナス電圧ピークは一次コイル８２２のフィードバック導線８２６に接続され、トリガーコンデンサー１５０のプラス側は一次コイル８２２の第２の端部導線８３０に接続される。フィードバック巻線８２３と主巻線８２５とは直列であり、二次コイル８２４の第１の端部導線８３６に電圧ピークを誘導する。
【００５４】
トリガーコンデンサー１５０はフィードバック巻線８２３および主巻線８２５と並列になる。二次コイル８２４における電圧ピークは整流ダイオード１５２によりブロックされる。該電圧ピークはトリガー電圧とも呼ばれて、トリガー接点１８４を介してフラッシュ管１８２中のガスをイオン化する。フラッシュ管１８２中のガスが充分にイオン化されると、フラッシュコンデンサー１８０が蓄えたエネルギーをフラッシュ管１８２を経て放電して「輝くフラッシュ」が起きる。
【図面の簡単な説明】
【００５５】
【図１】電子フラッシュ装置に組み込まれたこの発明の一実施例の回路図である。
【図２】電子フラッシュ装置に組み込まれたこの発明の他の実施例の回路図である。
【図３】電子フラッシュ装置に組み込まれたこの発明の他の実施例の回路図である。
【図４】電子フラッシュ装置に組み込まれたこの発明の他の実施例の回路図である。
【図５】電子フラッシュ装置に組み込まれたこの発明の他の実施例の回路図である。
【図６】電子フラッシュ装置に組み込まれたこの発明の他の実施例の回路図である。
【図７】電子フラッシュ装置に組み込まれたこの発明の他の実施例の回路図である。
【図８】電子フラッシュ装置に組み込まれたこの発明の他の実施例の回路図である。
【符号の説明】
【００５６】
１０５：  変換回路
１０７：  スイッチ
１０９：  フラッシュユニット
１１０：  ＤＣ電源
１２０：  変圧器
１２２：  一次コイル
１２４：  二次コイル
１２７：  フィードバック巻線
１４０：  トランジスター
１５０：  トリガーコンデンサー
１８０：  フラッシュコンデンサー
【図１】
2005523570.tif 000003
【図２】
2005523570.tif 000004
【図３】
2005523570.tif 000005
【図４】
2005523570.tif 000006
【図５】
2005523570.tif 000007
【図６】
2005523570.tif 000008
【図７】
2005523570.tif 000009
【図８】
2005523570.tif 000010
【国際調査報告】
2005523570.tif 000011
2005523570.tif 000012